(57)【要約】      （修正有）【課題】洗浄液タンク内の洗浄液の制御が不能になった場合にも、洗浄液が水道本管内に流れ込む虞がないスクラバーを提供する。【解決手段】排気ガス通路に洗浄液を噴霧し、それによって気液接触を図って排気ガスを洗浄し、その洗浄液をケーシングの下方に配設した洗浄液タンク２１に貯留するとともに、洗浄液タンク２１の洗浄液を再度洗浄液として排気ガス通路に供給噴霧する。洗浄液タンク２１の上方に水位センサ３３ａによって作動されるバルブ３３を介して水道本管３４に接続する補助タンク３１を配設するとともに、補助タンク３１を水位センサ３６ａによって作動されるバルブ３６を介して洗浄液タンク２１に連通させる。【選択図】図４
0003160793.tif 000002
【実用新案登録請求の範囲】
【請求項１】
排気ガスをケーシングの下部から供給してケーシングの上部から排出する排気ガス通路に、洗浄液を噴霧し、それによって気液接触を図って排気ガスを洗浄し、その洗浄液をケーシングの下方に配設した洗浄液タンクに貯留するとともに、洗浄液タンクの洗浄液を再度洗浄液として前記排気ガス通路に供給噴霧するスクラバーにおいて、前記洗浄液タンクの上方に水位センサによって作動されるバルブを介して水道本管に接続する補助タンクを配設するとともに、該補助タンクを水位センサによって作動されるバルブを介して前記洗浄タンクに連通させたことを特徴とするスクラバー。
【請求項２】
前記バルブは、フロートによって水位を検知し、該フロートの運動によって開閉作動されるものであることを特徴とする、請求項１に記載のスクラバー。
【考案の詳細な説明】
【技術分野】
【０００１】
本考案は、スクラバーに関するもので、詳しくは、洗浄された後の洗浄液をタンクに溜め、その洗浄液を循環させて再使用するスクラバーに関するものである。
【背景技術】
【０００２】
スクラバーでは、気液洗浄された洗浄液は、ケーシングの下部に配設した洗浄液タンクに落下貯留される。そして、その洗浄液は、ポンプによって再度排気ガスの洗浄に使用される（例えば、特許文献１参照）。このような洗浄液タンクでは、水道本管がタンク上部にバルブを介して連通されており、洗浄液が減少した場合に、バルブを開成して水道本管からタンク内に水を供給する。また、タンク内の洗浄液が所定量より多くなると、オーバーフローによって洗浄液がタンク外に排出される。
【先行技術文献】
【特許文献】
【０００３】
【特許文献１】特開平１０−２６３３４９号公報（図４参照）
【考案の概要】
【考案が解決しようとする課題】
【０００４】
ところで、洗浄液タンク内の洗浄液は、処理ガスの成分により汚染されたり、それを中和する薬品を含む場合があり、オーバーフローが閉塞された状態で、タンク内の洗浄液の水位が上がった場合に、水道本管の供給口が洗浄液に浸かる虞がある。水道本管の供給口が洗浄液に浸かった場合には、洗浄液が水道本管に流入して、水道本管の水を汚染してしまう虞がある。
【０００５】
本考案は、洗浄液タンク内の洗浄液の制御が不能になった場合にも、洗浄液が水道本管内に流れ込む虞がないスクラバーを提供することを目的とする。
【課題を解決するための手段】
【０００６】
上記した目的を達成するため、請求項１のスクラバーは、排気ガスをケーシングの下部から供給してケーシングの上部から排出する排気ガス通路に、洗浄液を噴霧し、それによって気液接触を図って排気ガスを洗浄し、その洗浄液をケーシングの下方に配設した洗浄液タンクに貯留するとともに、洗浄液タンクの洗浄液を再度洗浄液として前記排気ガス通路に供給噴霧するスクラバーにおいて、前記洗浄液タンクの上方に水位センサによって作動されるバルブを介して水道本管に接続する補助タンクを配設するとともに、該補助タンクを水位センサによって作動されるバルブを介して前記洗浄タンクに連通させたことを特徴とする。
【０００７】
また、請求項２のスクラバーは、請求項１に記載の考案において、前記バルブは、フロートによって水位を検知し、該フロートの運動によって開閉作動されるものであることを特徴とする。
【考案の効果】
【０００８】
上記した本考案に係るスクラバーによれば、洗浄液タンクのバルブが故障して開成されたままになった場合に、洗浄液タンクの洗浄液はオーバーフローによってドレインされることになるが、ドレインが十分でなく洗浄液が上昇しても、補助タンクを介して水道本管が接続されているため、水道本管が洗浄液に浸かる虞はない。
【図面の簡単な説明】
【０００９】
【図１】本考案に係るスクラバーの一実施の形態を示した一部断面側面図である。
【図２】図１のスクラバーにおけるケーシング下部の水平断面図で、排気ガス供給手段の要部を示した図である。
【図３】図１のスクラバーにおける洗浄液噴霧手段の要部を示した模式図である。
【図４】図１のスクラバーにおける洗浄液供給手段を示した断面図である。
【考案を実施するための形態】
【００１０】
以下、本考案に係るスクラバーの洗浄液タンクを、図面に示した実施の形態に基づいて詳細に説明する。
【００１１】
図１に示したスクラバーは、円筒状のタワー１内に内面が円筒状を成すケーシング２を備えている。そして、このスクラバーは、ケーシング２の下方からケーシング２の周面に沿って水平方向に排気ガスを噴射する排気ガス供給手段１０と、ケーシング２の水平全域に亘って洗浄液を噴霧し、洗浄した洗浄液を洗浄液タンク２１に貯留し、その洗浄液を再度排気ガスの洗浄に循環使用する洗浄液噴霧手段２０と、洗浄液タンク２１の洗浄液が減少した際に洗浄液タンクに真水を供給する洗浄液供給手段３０とを備えている。
【００１２】
上記排気ガス供給手段１０は、ブロアー１１を備えている。このブロアー１１の排気ガス吐出ダクト１２は、図２に示すように、ケーシング２の内周面に向けて開口されている。このブロアー１１はシロッコファンで、一側端面に排気ガス取り入れ口１３を有し、他側面がモーター１４に連結されている。
【００１３】
上記洗浄液噴霧手段２０は、ケーシング２の軸芯に設置された水導管２２を備えている。この水導管２２には、図３に示すように、複数段（本実施形態では７段）のノズル２３が連結されている。各段のノズル２３は、水導管２２の周面に、水平面上で６０度変位した方向に植設され、その先端に噴出口２４がノズル２３の水平面垂直方向に向けて形成されている。
【００１４】
水導管２２の下端は、図１に示すように、配管２５を介してポンプ２６に接続されている。このポンプ２６は、配管２７を介して洗浄液タンク２１に接続されている。
なお、このスクラバーでは、水導管２２の上端に、図１および図３に示すように、円板状の邪魔板５が設置されている。
【００１５】
上記洗浄液供給手段３０は、図１に示すように、補助タンク３１を備えている。補助タンク３１は、洗浄液タンク２１の上方に配置されている。この補助タンク３１は、配管３２によって洗浄液タンク２１の上部に連通されている。補助タンク３１は、図４に示すように、水位センサによって作動されるバルブ３３を備えている。このバルブ３３は、フロート３３ａを備え、フロート３３ａで補助タンク３１の水位を計り、そのフロート３３ａによって開閉される。そして、補助タンク３１は、バルブ３３を介して水道本管３４に接続されている。なお、補助タンク３１には、オーバーフロー３５が設置されている。
【００１６】
また、この洗浄液供給手段３０では、配管３２における洗浄液タンク２１との接続部に水位センサによって作動されるバルブ３６を備えている。このバルブ３６は、フロート３６ａを備え、フロート３６ａで洗浄タンク２１の水位を計り、そのフロート３６ａによって開閉される。なお、洗浄液タンク２１には、オーバーフロー２８が設置されている。
【００１７】
このように構成されたスクラバーでは、排気ガスが、吐出ダクト１２によって案内されてケーシング２の下部周面に噴射供給される。したがって、その排気ガスは、ケーシング２の周面に沿うようにして周回しながら上昇される。一方、洗浄液は、ポンプ２６によって洗浄液タンク２１から配管２７，２５を介して水導管２２に送給される。そして、その洗浄液は、複数段のノズル２３の噴出口２４からケーシング２の内面に向け、それぞれの方向に噴射される。
【００１８】
したがって、ケーシング２内で旋回上昇される排気ガスは、各段に配設されたノズル２３の噴出口２４から噴射される洗浄液によって気液洗浄が行われ、ミストセパレータ３を経て排気口４から外部へ排出される。
【００１９】
このスクラバーの洗浄液供給手段３０では、洗浄液タンク２１内の水位が低下した場合には、その水位の低下に伴ってフロート３６ａが降下し、それによってバルブ３６が開成される。したがって、補助タンク３１内の真水が洗浄液タンク２１に供給される。そして、洗浄液タンク２１の水位が所定の水位に達すると、バルブ３６が閉成され、真水の供給は停止される。
【００２０】
補助タンク３１内の水位が低下すると、その水位の低下に伴ってフロート３３ａが降下し、それによってバルブ３３が開成される。したがって、補助タンク３１内に水道本管３４から真水が供給される。そして、補助タンク３１の水位が所定の水位に達すると、バルブ３３が閉成され、真水の供給は停止される。
【００２１】
もし、洗浄液タンク２１のバルブ３６が故障して開成されたままになった場合に、洗浄液タンク２１の洗浄液は、オーバーフロー２８によってドレインされることになるが、ドレインが十分でなく、洗浄液が上昇しても、補助タンク３１を介して水道本管３４が接続されているため、水道本管３４が洗浄液に浸かる虞はない。
【００２２】
なお、上記実施の形態では、水位センサによって作動されるバルブとして、フロート３３ａによって作動されるバルブ３３を示したが、他の機械的なもの，光学的なもの，電気的なもの等を使用してもよい。
【符号の説明】
【００２３】
１    タワー
２    ケーシング
３    ミストセパレータ
４    排気口
５    邪魔板
１０  排気ガス供給手段
１１  ブロアー
１２  排気ガス吐出ダクト
１３  排気ガス取り入れ口
１４  モーター
２０  洗浄液噴霧手段
２１  洗浄液タンク
２２  水導管
２３  ノズル
２４  噴出口
２５  配管
２６  ポンプ
２７  配管
２８  オーバーフロー
３０  洗浄液供給手段
３１  補助タンク
３２  配管
３３  バルブ
３３ａ  フロート
３４  水道本管
３５  オーバーフロー
３６  バルブ
３６ａ  フロート
【図１】
0003160793.tif 000003
【図２】
0003160793.tif 000004
【図３】
0003160793.tif 000005
【図４】
0003160793.tif 000006